(57)【要約】【課題】スラットを室内側の視界から複数枚の独立したカーテン生地で覆った状態で採光量を調節可能とし、かつ設置スペースの増大を防止し得る縦型ブラインドを提供する。【解決手段】ハンガーレール１内に多数のランナー３を移動可能に支持し、各ランナー３からそれぞれスラット２を回動可能に吊下支持し、ハンガーレール１に設けられる操作装置でスラット２を回動操作及び移動操作可能とした縦型ブラインドにおいて、ランナー３とともにハンガーレール１に沿って移動する吊下装置１８から、スラット２を覆うカーテン生地１２を吊下支持し、カーテン生地１２はスラット２の最大離間距離より幅広の複数枚の独立したカーテン生地とした。【選択図】図２
2008045318.tif 000002
【特許請求の範囲】
【請求項１】
ハンガーレールに多数のランナーを移動可能に支持し、前記各ランナーからそれぞれスラットを回動可能に吊下支持し、前記ハンガーレールに設けられる操作装置で前記スラットを回動操作及び移動操作可能とした縦型ブラインドにおいて、
前記ランナーとともに前記ハンガーレールに沿って移動する吊下装置から、前記スラットを覆うカーテン生地を吊下支持し、前記カーテン生地は前記スラットの最大離間距離より幅広の複数枚の独立したカーテン生地としたことを特徴とする縦型ブラインド。
【請求項２】
前記吊下装置は、
前記各ランナーに取着された支持部材と、
前記支持部材に取着され、前記ハンガーレールに沿う方向に延びる吊下部材と
を備え、
前記スラットを覆う位置で前記吊下部材から平板状の前記カーテン生地を吊下支持したことを特徴とする請求項１記載の縦型ブラインド。
【請求項３】
前記カーテン生地は、前記スラットを引き出したとき、隣り合う吊下装置から吊下支持されるカーテン生地の端部が互いに重なり合う幅としたことを特徴とする請求項２記載の縦型ブラインド。
【請求項４】
前記吊下装置は、前記スラットの室内側及び室外側で前記カーテン生地を吊下支持することを特徴とする請求項２又は３記載の縦型ブラインド。
【請求項５】
前記吊下部材を前記支持部材に回動可能に支持し、前記吊下部材と支持部材との間には前記カーテン生地を隣り合うカーテン生地に重ね合わせる位置に付勢する付勢手段を設けたことを特徴とする請求項３又は４記載の縦型ブラインド。
【請求項６】
前記吊下装置は、
前記ランナー間を移動するカーテン生地用ランナーに取着した支持部材と、
前記支持部材の端部に取着され、前記ハンガーレールに沿う方向に延びる吊下部材と
を備え、
前記スラットを覆う位置で前記吊下部材から平板状の前記カーテン生地を吊下支持したことを特徴とする請求項１記載の縦型ブラインド。
【請求項７】
前記カーテン生地の幅は、前記スラットを引き出したとき、隣り合う吊下装置から吊下支持されるカーテン生地の端部が互いに重なり合う幅とし、前記吊下部材は、前記カーテン生地を隣り合うカーテン生地に重ね合わせる位置に付勢する弾性を備えた金属板で形成したことを特徴とする請求項６記載の縦型ブラインド。
【請求項８】
複数の前記ランナー毎に１つの前記カーテン生地用ランナーを配設したことを特徴とする請求項７記載の縦型ブラインド。
【発明の詳細な説明】
【技術分野】
【０００１】
この発明は、遮光性を備えた生地のスラットと、半透過性の生地のスラットを吊下支持する縦型ブラインドに関するものである。
【背景技術】
【０００２】
縦型ブラインドは、ハンガーレール内を移動可能に支持された多数のランナーからそれぞれスラットが角度調節可能に吊下支持され、スラットをハンガーレールに沿って引き出し、かつスラットの角度を調節することにより、室内への採光量を適宜調節可能である。
【０００３】
スラットは、遮光性を備えた生地で構成されるとともに、操作装置の操作により同位相で角度調節される。そして、各スラットを引き出してハンガーレールに沿う方向すなわち全閉状態まで回動させると外光が遮断され、各スラットをハンガーレールに直交する方向に回動させると、各スラット間から採光可能である。また、各スラットをハンガーレールの一端側へ畳み込めば、窓面が開放されて全開状態となる。
【０００４】
特許文献１には、不透明ルーバーと半透明ルーバーとを交互に吊下支持した縦型ブラインドが開示されている。この縦型ブラインドは、半透明ルーバーをハンガーレールに沿う方向に吊下支持し、不透明ルーバーをハンガーレールに直交する方向に回動させると、半透明ルーバーを介して外光を採り入れ可能であり、窓外を眺望することも可能である。
【０００５】
また、不透明ルーバーをハンガーレールに沿う方向に回動して全閉状態とすれば、外光を遮断可能である。
特許文献２には、縦型ブラインドとカーテンとを併設し、カーテンを引きだした状態で縦型ブラインドのスラットを回動させて、採光量を調節可能とした構成が開示されている。
【特許文献１】特許第３２８１５４４号公報
【特許文献２】米国特許第５３９２８３３号
【発明の開示】
【発明が解決しようとする課題】
【０００６】
近年、縦型ブラインドのインテリア性を向上させるために、縦型ブラインドの室内側にレース生地等の半透過性のカーテンを設置して、縦型ブラインドをカーテン生地で覆い隠しながら、縦型ブラインドのスラットを回動させて採光量を調節可能とする構成が提案されている。このような構成では、縦型ブラインドがカーテンで覆われるので、室内の美観を向上させることができるとともに、カーテン生地を介して柔らかな外光を採り入れることができる。
【０００７】
しかし、通常の縦型ブラインドでは、スラットの回動により採光量を調節することしかできず、レース生地のような半透過性のスラットを介して柔らかな光を取り入れることはできない。
【０００８】
特許文献１に記載された縦型ブラインドでは、半透明ルーバーを介して外光を採り入れる状態を選択することができるが、不透明ルーバーを全閉状態まで回動すると、半透明ルーバーが不透明ルーバーにほぼ覆い隠される。従って、不透明ルーバーが室内に露出されて、美観上好ましくない。
【０００９】
特許文献２に記載された縦型ブラインドでは、カーテンで覆われた状態で採光量を調節することができるとともに、縦型ブラインドの室内への露出を防止して美観を向上させることができる。
【００１０】
しかし、縦型ブラインドのヘッドボックスに隣接して、カーテンレール等を設置するスペースを確保する必要があり、かつ縦型ブラインドの室内側において、スラットの回動に支障を来たさない位置でカーテン生地を吊下支持するスペースを確保する必要がある。従って、設置スペースが増大するという問題点がある。
【００１１】
この発明の目的は、スラットを室内側の視界から複数枚の独立したカーテン生地で覆った状態で採光量を調節可能とし、かつ設置スペースの増大を防止し得る縦型ブラインドを提供することにある。
【課題を解決するための手段】
【００１２】
請求項１では、ハンガーレール内に多数のランナーを移動可能に支持し、前記各ランナーからそれぞれスラットを回動可能に吊下支持し、前記ハンガーレールに設けられる操作装置で前記スラットを回動操作及び移動操作可能とした縦型ブラインドにおいて、前記ランナーとともに前記ハンガーレールに沿って移動する吊下装置から、前記スラットを覆うカーテン生地を吊下支持し、前記カーテン生地は前記スラットの最大離間距離より幅広の複数枚の独立したカーテン生地とした。
【００１３】
請求項２では、前記吊下装置は、前記各ランナーに取着された支持部材と、前記支持部材に取着され、前記ハンガーレールに沿う方向に延びる吊下部材とを備え、前記スラットを覆う位置で前記吊下部材から平板状の前記カーテン生地を吊下支持した。
【００１４】
請求項３では、前記カーテン生地は、前記スラットを引き出したとき、隣り合う吊下装置から吊下支持されるカーテン生地の端部が互いに重なり合う幅とした。
請求項４では、前記吊下装置は、前記スラットの室内側及び室外側で前記カーテン生地を吊下支持する。
【００１５】
請求項５では、前記吊下部材を前記支持部材に回動可能に支持し、前記吊下部材と支持部材との間には前記カーテン生地を隣り合うカーテン生地に重ね合わせる位置に付勢する付勢手段を設けた。
【００１６】
請求項６では、前記吊下装置は、前記ランナー間を移動するカーテン生地用ランナーに取着した支持部材と、前記支持部材の端部に取着され、前記ハンガーレールに沿う方向に延びる吊下部材とを備え、前記スラットを覆う位置で前記吊下部材から平板状の前記カーテン生地を吊下支持した。
【００１７】
請求項７では、前記カーテン生地の幅は、前記スラットを引き出したとき、隣り合う吊下装置から吊下支持されるカーテン生地の端部が互いに重なり合う幅とし、前記吊下部材は、前記カーテン生地を隣り合うカーテン生地に重ね合わせる位置に付勢する弾性を備えた金属板で形成した。
【００１８】
請求項８では、複数の前記ランナー毎に１つの前記カーテン生地用ランナーを配設した。
【発明の効果】
【００１９】
本発明によれば、スラットを室内側の視界から複数枚の独立したカーテン生地で覆った状態で採光量を調節可能とし、かつ設置スペースの増大を防止し得る縦型ブラインドを提供することができる。
【発明を実施するための最良の形態】
【００２０】
（第一の実施の形態）
以下、この発明を具体化した縦型ブラインドの一実施の形態を図面に従って説明する。図１〜図３に示す縦型ブラインドは、ハンガーレール１から多数枚のスラット２が吊下支持される。各スラット２は、遮光性を備えた生地で形成され、ハンガーレール１内で移動可能に支持されるランナー３から吊下支持される。
【００２１】
各ランナー３には、３条のスプラインが刻設されたチルト軸４が軸方向に相対移動可能に挿通され、そのチルト軸４の両端はハンガーレール１の両端に取着されるエンドキャップ５ａ，５ｂに回転可能に支持されている。
【００２２】
前記各ランナー３には前記スラット２を吊下支持する吊下軸６が回転可能に支持され、その吊下軸６の下端部に前記スラット２を吊下支持するフック７が設けられている。また、前記ランナー３内には前記チルト軸４の回転にともなって前記吊下軸６を回転させるウォーム機構８（図８参照）が内蔵されている。
【００２３】
前記ハンガーレール１の一端には操作棒（操作装置）９が吊下支持され、その操作棒９を回転させると、エンドキャップ５ａ内に配設されるギヤ機構（図示しない）を介して前記チルト軸４が回転される。そして、チルト軸４の回転にともなって各ランナー３の吊下軸６が回転され、各ランナー３に吊下支持されるスラット２が同位相で回動されるようになっている。
【００２４】
前記エンドキャップ５ａから垂下される操作コード１０は、前記ハンガーレール１内を周回可能に配設され、前記ランナー３のうち例えば最もエンドキャップ５ｂ側に支持される先頭ランナーに取着されている。また、各ランナー３はスペーサー１１で連結され、各ランナー３の最大離間距離が設定されている。
【００２５】
従って、操作コード１０を操作して先頭ランナーを移動させれば、その先頭ランナーに追随して後続のランナーが順次引き出され、あるいは後続のランナーが先頭ランナーにより順次押し戻される。このような動作により、各ランナー３に吊下支持されたスラット２がハンガーレール１に沿って引き出され、あるいは図５に示すように、ハンガーレール１の一端側に畳み込まれる。
【００２６】
前記各ランナー３には、前記各スラット２の室内側に位置するカーテン生地１２がそれぞれ吊下支持されている。そのカーテン生地１２を吊下支持する吊下装置の具体的構成を説明すると、図４に示すように、支持部材１３の基端部には上方に延びる一対の挟み片１４が形成され、その挟み片１４には支持孔１５がそれぞれ形成されている。そして、挟み片１４間に前記ランナー３を嵌合可能となっている。
【００２７】
前記各ランナー３には、前記吊下軸６の中心線に対し前記チルト軸４の挿通位置と線対称状となる位置に透孔１６が形成され、前記支持孔１５はその透孔１６と同一径である。そして、支持孔１５と透孔１６を連通させた状態で、支持孔１５及び透孔１６にブッシュ１７が嵌合されて、支持部材１３が室内側に向かって水平方向に保持される状態でランナー３に取着されている。
【００２８】
前記支持部材１３の先端部には、前記カーテン生地１２を吊下支持する長板状の吊下部材１８の基端部が支軸１９を支点として回動可能に支持されている。また、支持部材１３の先端部と吊下部材１８の基端部とはコイルスプリング２０で連結され、そのコイルスプリング２０の付勢力により吊下部材１８と支持部材１３との挟角がほぼ９０度となるように保持される。
【００２９】
従って、吊下部材１８は先頭側のランナー３に向かってハンガーレール１に沿う方向に延設されている。また、吊下部材１８はコイルスプリング２０の付勢力に抗しながら、その挟角が９０度を超える位置まで回動可能である。
【００３０】
前記吊下部材１８には、レース生地等の半透過性の生地にてなる前記カーテン生地１２が吊下支持される。すなわち、前記カーテン生地１２の上端部に袋状部２１が形成され、その袋状部２１に吊下部材１８が挿通されている。
【００３１】
また、前記吊下部材１８及びカーテン生地１２は、前記スラット２の回動に干渉しない位置で吊下支持されている。言い換えれば、前記支持部材１３は前記吊下部材１８及びカーテン生地１２を前記スラット２の回動に干渉しない位置で吊下支持し得る長さで延設されている。
【００３２】
前記吊下部材１８は、図２に示すように、前記各ランナー３の離間距離が最大となるとき、その先端部が先行するランナー３に支持される吊下部材１８に重なる長さに設定されている。
【００３３】
次に、上記のように構成された縦型ブラインドの動作を説明する。図１に示すように、操作コード１０を操作して各スラット２をハンガーレール１に沿って引き出すと、各スラット２の室内側において多数枚のカーテン生地１２の端部が隣り合うカーテン生地１２の端部と重なり合う状態で平板状に吊下支持される。従って、各スラット２はカーテン生地１２で覆い隠されて、室内には露出されない状態となる。
【００３４】
この状態で、操作棒９を操作して各スラット２を回動させると、採光量の調節が可能であり、その外光がカーテン生地１２を介して採り入れられる。
また、図５に示すように、操作コード１０を操作してスラット２をハンガーレール１の一端側に畳み込むと、各ランナー３に支持されたカーテン生地１２はスラット２とともに移動して、スラット２の室内側において重ねあわされた状態で畳み込まれる。
【００３５】
上記のように構成された縦型ブラインドでは、次に示す作用効果を得ることができる。
（１）操作コード１０の操作により、スラット２の引き出し操作及び畳み込み操作を行うことができると同時に、カーテン生地１２の引き出し操作及び畳み込み操作を行うことができる。
（２）スラット２を引き出したとき、平板状に引き出されるカーテン生地１２でスラット２を覆い隠すことができる。従って、スラット２の室内への露出を防止して美観を向上させることができる。
（３）スラット２を畳み込んだとき、同スラット２とともに畳み込まれるカーテン生地１２でスラット２を覆い隠すことができる。従って、スラット２の室内への露出を防止して美観を向上させることができる。
（４）スラット２を引き出した状態で、操作棒９の操作により各スラット２を回動させると、採光量を調節することができるとともに、カーテン生地１２を介して外光を採り入れることができる。従って、半透過性のカーテン生地１２を透した柔らかな外光を採り入れることができるとともに、採光量を調節することができる。
（５）各ランナー３でスラット２とカーテン生地１２とを吊下支持することができる。従って、縦型ブラインドのハンガーレールに加えてカーテンレールを別途設置する必要がないので、設置スペースを縮小することができる。
（６）吊下部材１８は支持部材１３に対し回動可能に支持され、常にはコイルスプリング２０の付勢力によりその挟角がほぼ９０度となるように保持されている。従って、スラット２が畳み込まれてカーテン生地１２が積層された状態で畳み込まれるとき、吊下部材１８と支持部材１３との挟角をコイルスプリング２０の付勢力に抗して増大させて、カーテン生地１２を容易に積層状態とすることができる。また、スラット２を引き出せば、コイルスプリング２０の付勢力により、吊下部材１８と支持部材１３との挟角を元の角度に自動的に復帰させることができる。
（第二の実施の形態）
図６及び図７は、第二の実施の形態を示す。この実施の形態は、スラット２の室内側に加えて、室外側にもカーテン生地を吊下支持する構成としたものである。前記第一の実施の形態と同一構成部分は同一符号を付して説明する。
【００３６】
図６に示すように、この実施の形態では吊下部材１８を支持する支持部材２２は、スラット２の全幅に亘って延設され、図７に示すように、その両端部に吊下部材１８が互い違い方向に延びるように取着されている。そして、各吊下部材１８からカーテン生地１２が吊下支持されている。
【００３７】
前記支持部材２２の中間部には、上方に延びる一対の挟み片１４が形成され、その挟み片１４には支持孔１５がそれぞれ形成されている。そして、その支持孔１５とランナー３の透孔１６を連通させた状態で、支持孔１５及び透孔１６にブッシュ１７が嵌合されて、支持部材１３が水平方向に保持される状態でランナー３に取着されている。
【００３８】
支持部材２２と各吊下部材１８との間には、第一の実施の形態と同様なコイルスプリング２０が取着されて、常にはその挟角がほぼ９０度となるように保持されている。
このように構成された縦型ブラインドでは、第一の実施の形態と同様な作用効果を得ることができるとともに、スラット２の前後にカーテン生地１２を配設したので、室内及び室外へのスラット２の露出を防止することができる。
（第三の実施の形態）
図８〜図１１は、第三の実施の形態を示す。この実施の形態は、前記第二の実施の形態と同様にスラット２の前後にカーテン生地１２を吊下支持し、そのカーテン生地１２はスラット２を吊下支持するランナーとは独立した専用のランナーで吊下支持する構成としたものである。第一の実施の形態と同一構成部分は、同一符号を付して説明する。
【００３９】
図８に示すように、スラット２はランナー３に吊下支持され、そのスラット２の前後両側にカーテン生地１２が吊下支持される。カーテン生地１２は、図９に示すように、専用のカーテン生地用ランナー２３から吊下支持される。そして、カーテン生地用ランナー２３は、２つのランナー３に１つの割合で配設される。
【００４０】
前記カーテン生地用ランナー２３は、図９に示すように、前記チルト軸４は挿通されるが、ウォーム機構及び吊下軸は設けられていないため、チルト軸４の回転に影響されることはない。そして、カーテン生地用ランナー２３の下面中央部に金属板で形成される支持部材２４が取着される。
【００４１】
前記支持部材２４の両端部は、ハンガーレール１の側方まで延設されるとともに、直角に捻じ曲げられて取付片２５が形成され、その取付片２５に吊下部材２６の中間部が取着されている。
【００４２】
前記吊下部材２６は弾性を備えた鋼板で形成され、図１０に示すように、スラット２を引き出したとき、２つのランナー３を隔てて位置するカーテン生地用ランナー２３に取着された吊下部材２６の先端部が重なり合う長さに設定される。また、このような条件を満たすように、カーテン生地用ランナー２３とその前後のランナー３との間のスペーサーは、他のスペーサーより短く設定されている。そして、各吊下部材２６からカーテン生地１２が吊下支持される。
【００４３】
なお、カーテン生地１２の上端部には袋状部２７が形成され、図１１に示すように、その袋状部２７に吊下部材２６が挿通され、次いで吊下部材２６の中間部が前記支持部材２４の端部に例えばリベットでそれぞれ取着される。そして、支持部材２４の中間部がカーテン生地用ランナー２３に取着される。
【００４４】
また、カーテン生地１２の下端部にも袋状部が形成され、その袋状部に前記吊下部材２６と同様な材質で形成されたボトムプレート２８が挿通されている。
このように構成された縦型ブラインドでは、図８に示すように、カーテン生地１２はスラット２の前後に位置する。そして、スラット２を引き出したとき、図１０に示すように、２つのランナー３を隔てて位置するカーテン生地用ランナー２３に取着された吊下部材２６及びカーテン生地１２の端部が重なり合う。
【００４５】
この状態で、スラット２を回動させれば、採光量の調節が可能であり、採光された外光はカーテン生地１２を介して室内に採り入れられる。また、スラット２を畳み込むと、カーテン生地１２は積層された状態で畳み込まれる。
【００４６】
この実施の形態の縦型ブラインドでは、第二の実施の形態の縦型ブラインドと同様な作用効果を得ることができるとともに、次に示す作用効果を得ることができる。
（１）２つのランナー３を隔てて位置するカーテン生地用ランナー２３からカーテン生地１２を吊下支持するので、第一及び第二の実施の形態に比して各カーテン生地１２の幅を大きくすることができる。従って、スラット２を全開状態から全閉状態まで引き出す際の引き出しストロークが同一であれば、カーテン生地１２の重なり部分の数を削減して、美観を向上させることができる。
（２）各ランナー３間にカーテン生地用ランナー２３を設けるのではなく、２つのランナー３毎に１つのカーテン生地用ランナー２３を設けたので、カーテン生地用ランナー２３の数の増大を防止して、スラット２の畳み込み寸法を小さくすることができる。吊下部材２６の長さをさらに長くし、カーテン生地１２の幅を大きくすることにより、カーテン生地用ランナー２３の数をさらに削減することも可能である。
【００４７】
上記実施の形態は、以下の態様で実施してもよい。
・第三の実施の形態において、吊下部材２６の長さをさらに長くし、カーテン生地１２の幅を大きくすることにより、カーテン生地用ランナー２３の数をさらに削減して、畳み込み寸法を小さくすることができる。
【図面の簡単な説明】
【００４８】
【図１】第一の実施の形態の縦型ブラインドを示す正面図である。
【図２】第一の実施の形態のスラット及びカーテン生地を示す正面図である。
【図３】第一の実施の形態のスラット及びカーテン生地を示す側面図である。
【図４】第一の実施の形態の支持部材及び吊下部材を示す斜視図である。
【図５】第一の実施の形態のスラット及びカーテン生地を畳み込んだ状態を示す正面図である。
【図６】第二の実施の形態のスラット及びカーテン生地を示す側面図である。
【図７】第二の実施の形態の支持部材及び吊下部材を示す斜視図である。
【図８】第三の実施の形態のスラット及びカーテン生地を示す側面図である。
【図９】カーテン生地用ランナーを示す側面図である。
【図１０】第三の実施の形態のスラット及びカーテン生地を示す平面図である。
【図１１】第三の実施の形態の支持部材及び吊下部材を示す平面図である。
【符号の説明】
【００４９】
１…ハンガーレール、２…スラット、３…ランナー、９…操作装置（操作棒）、１０…操作装置（操作コード）、１２…カーテン生地、１３，２２，２４…吊下装置（支持部材）、１８，２６…吊下装置（吊下部材）。
【図１】
2008045318.tif 000003
【図２】
2008045318.tif 000004
【図３】
2008045318.tif 000005
【図４】
2008045318.tif 000006
【図５】
2008045318.tif 000007
【図６】
2008045318.tif 000008
【図７】
2008045318.tif 000009
【図８】
2008045318.tif 000010
【図９】
2008045318.tif 000011
【図１０】
2008045318.tif 000012
【図１１】
2008045318.tif 000013